【手続補正書】
【提出日】平成27年12月28日(2015.12.28)
【手続補正１】
【補正対象書類名】特許請求の範囲
【補正対象項目名】全文
【補正方法】変更
【補正の内容】
【特許請求の範囲】
【請求項１】
既存建物の既存壁の室内側から取り付けられる内張断熱パネルであって、
方形状の内装下地材と、断熱材とが積層された積層体であり、
前記内装下地材は、厚さが９．５ｍｍの石膏ボードであり、
前記断熱材は、両面に面材が積層されたフェノール樹脂発泡体又は硬質ウレタンフォームであり、
前記断熱材の透湿率が０．００１７ｇ／ｍ・ｈ・ｍｍＨｇ以下でかつ熱伝導率が０．０４０Ｗ／ｍ・Ｋ以下でかつ熱抵抗値が０．３０ｍ２・Ｋ／Ｗ以上であることを特徴とする内張断熱パネル。
【請求項２】
既存建物の既存壁の室内側から取り付けられる内張断熱パネルであって、
方形状の内装下地材に、断熱材と補強材とが積層された積層体であり、
前記内装下地材は、厚さが９．５ｍｍの石膏ボードであり、
前記断熱材は、フェノール樹脂発泡体、硬質ウレタンフォーム、押出法ポリスチレンフォーム、ビーズ法ポリスチレンフォーム又は真空断熱材のいずれかであり、
前記補強材は木材、金属、樹脂、発泡体のいずれかであり、
前記断熱材の透湿率が０．００１７ｇ／ｍ・ｈ・ｍｍＨｇ以下でかつ熱伝導率が０．０４０Ｗ／ｍ・Ｋ以下でかつ熱抵抗値が０．３０ｍ２・Ｋ／Ｗ以上であることを特徴とする内張断熱パネル。
【請求項３】
前記断熱材の厚さが２０ｍｍ又は２５ｍｍであること
を特徴とする請求項１または２に記載の内張断熱パネル。
【請求項４】
前記断熱材は前記内装下地材と同一寸法の長方形であること
を特徴とする請求項１乃至３のいずれか１項に記載の内張断熱パネル。
【請求項５】
既存建物の既存壁と、前記既存壁の室内側に積層された内張断熱パネルと、で形成された内張断熱壁であって、
前記既存壁は、既存内装下地材と、中空層と、既存断熱材と、既存外装下地材とを備え、
前記内張断熱パネルが請求項１乃至４のいずれか１項に記載の内張断熱パネルであること
を特徴とする内張断熱壁。
【請求項６】
前記既存内装下地材が石膏ボードであり、前記既存内装下地材の石膏ボードが前記内張断熱パネルの石膏ボードよりも厚いこと
を特徴とする請求項５に記載の内張断熱壁。
【請求項７】
既存建物の既存壁と、前記既存壁の室内側に固定された桟木と、前記桟木に固定された内張断熱パネルと、で形成された内張断熱壁であって、
前記内張断熱パネルが請求項１乃至４のいずれか１項に記載の内張断熱パネルであり、
隣接する前記内張断熱パネルの継ぎ目は、前記桟木上に設けられていること
を特徴とする内張断熱壁。
【請求項８】
請求項１乃至４記載の内張断熱パネルを既存建物の既存壁に室内側から取り付けること
を特徴とする内張断熱パネルの施工法。
【請求項９】
前記既存壁の室内側に桟木を固定する工程と、
隣接する複数の前記内張断熱パネルの継ぎ目を前記桟木上になるよう前記内張断熱パネルを前記桟木に固定する工程と、
を有することを特徴とする請求項８に記載の内張断熱パネルの施工法。
【手続補正２】
【補正対象書類名】明細書
【補正対象項目名】発明の名称
【補正方法】変更
【補正の内容】
【発明の名称】内張断熱パネル、内張断熱壁および内張断熱パネルの施工法
【手続補正３】
【補正対象書類名】明細書
【補正対象項目名】０００１
【補正方法】変更
【補正の内容】
【０００１】
この発明は、内張断熱パネル、内張断熱壁および内張断熱パネルの施工法に関し、木造戸建住宅の断熱改修、ＲＣ造・Ｓ造の断熱改修、木造・ＲＣ造・Ｓ造等の新築において、既存壁に室内側から取り付けられる内張断熱パネル、複数の内張断熱パネルを既存壁に固定して形成される内張断熱壁および複数の内張断熱パネルを既存壁に固定する際の内張断熱パネルの施工法に関する。
【手続補正４】
【補正対象書類名】明細書
【補正対象項目名】０００７
【補正方法】変更
【補正の内容】
【０００７】
この発明の目的は、容易に設置することができ、したがって、既存建物の改修時または新築時に断熱性を高める際の施工の手間や煩雑さを改善することができるとともに、内部結露のリスクを抑えることができる断熱パネル、内張断熱壁および内張断熱パネルの施工法を提供することにある。
【手続補正５】
【補正対象書類名】明細書
【補正対象項目名】０００８
【補正方法】変更
【補正の内容】
【０００８】
第１の発明による内張断熱パネルは、既存建物の既存壁の室内側から取り付けられる内張断熱パネルであって、方形状の内装下地材と、断熱材とが積層された積層体であり、前記内装下地材は、厚さが９．５ｍｍの石膏ボードであり、
前記断熱材は、両面に面材が積層されたフェノール樹脂発泡体又は硬質ウレタンフォームであり、前記断熱材の透湿率が０．００１７ｇ／ｍ・ｈ・ｍｍＨｇ以下でかつ熱伝導率が０．０４０Ｗ／ｍ・Ｋ以下でかつ熱抵抗値が０．３０ｍ２・Ｋ／Ｗ以上であることを特徴とするものである。
第２の発明による内張断熱パネルは、既存建物の既存壁の室内側から取り付けられる内張断熱パネルであって、方形状の内装下地材に、断熱材と補強材とが積層された積層体であり、前記内装下地材は、厚さが９．５ｍｍの石膏ボードであり、前記断熱材は、フェノール樹脂発泡体、硬質ウレタンフォーム、押出法ポリスチレンフォーム、ビーズ法ポリスチレンフォーム又は真空断熱材のいずれかであり、前記補強材は木材、金属、樹脂、発泡体のいずれかであり、前記断熱材の透湿率が０．００１７ｇ／ｍ・ｈ・ｍｍＨｇ以下でかつ熱伝導率が０．０４０Ｗ／ｍ・Ｋ以下でかつ熱抵抗値が０．３０ｍ２・Ｋ／Ｗ以上であることを特徴とするものである。
【手続補正６】
【補正対象書類名】明細書
【補正対象項目名】００２６
【補正方法】変更
【補正の内容】
【００２６】
請求項５の発明による内張断熱壁は、既存建物の既存壁と、前記既存壁の室内側に積層された内張断熱パネルと、で形成された内張断熱壁であって、前記既存壁は、既存内装下地材と、中空層と、既存断熱材と、既存外装下地材とを備え、前記内張断熱パネルが上記いずれかに記載の内張断熱パネルであることを特徴とするものである。
前記既存内装下地材が石膏ボードであり、前記既存内装下地材の石膏ボードが前記内張断熱パネルの石膏ボードよりも厚いことが好ましい。
【手続補正７】
【補正対象書類名】明細書
【補正対象項目名】００２７
【補正方法】変更
【補正の内容】
【００２７】
また、請求項７の発明による内張断熱壁は、既存建物の既存壁と、前記既存壁の室内側に固定された桟木と、前記桟木に固定された内張断熱パネルと、で形成された内張断熱壁であって、前記内張断熱パネルが上記いずれかに記載の内張断熱パネルであり、隣接する前記内張断熱パネルの継ぎ目は、前記桟木上に設けられていることを特徴とするものである。
【手続補正８】
【補正対象書類名】明細書
【補正対象項目名】００２８
【補正方法】変更
【補正の内容】
【００２８】
請求項８の発明による内張断熱パネルの施工法は、上記いずれかに記載の内張断熱パネルを既存建物の既存壁に室内側から取り付けることを特徴とするものである。
【手続補正９】
【補正対象書類名】明細書
【補正対象項目名】００２９
【補正方法】変更
【補正の内容】
【００２９】
また、請求項９の発明による内張断熱パネルの施工法は、前記既存壁の室内側に桟木を固定する工程と、隣接する複数の前記内張断熱パネルの継ぎ目を前記桟木上になるよう前記内張断熱パネルを前記桟木に固定する工程と、を有することを特徴とする請求項８に記載の内張断熱パネルの施工法である。
【手続補正１０】
【補正対象書類名】明細書
【補正対象項目名】００３０
【補正方法】削除
【補正の内容】
【手続補正１１】
【補正対象書類名】明細書
【補正対象項目名】００３１
【補正方法】削除
【補正の内容】
【手続補正１２】
【補正対象書類名】明細書
【補正対象項目名】００３２
【補正方法】削除
【補正の内容】